(57)【要約】【課題】無駄なエネルギー消費を抑えつつ、建造物内で快適な温度環境を実現する。【解決手段】住宅１０２の調整対象空間１１５となる部屋１０７や廊下空間１１１などの各区画空間１０６には、温度センサ１１７ａを有する室温測定器１１７とファン１１８とが設置させている。部屋１０７にはエアコン１２２が設置され、その部屋１０７の空気の温度を変化させることができる。調整対象空間１１５となる区画空間１０６同士は、ファン１１８によって空気が流出入するダクト１２０によって連通されている。エアコン１２２やファン１１８は、コンピュータ１２４による制御を受けて作動する。エアコン１２２によって温度が変化した空気は、ファン１１８が作動することにより他の調整対象空間１１５に移動してその調整対象空間１１５内の温度を変化させる。【選択図】図１
2010091237.tif 000002
【特許請求の範囲】
【請求項１】
建造物内の温度調整対象となる区画空間のそれぞれに設けられる温度センサと、
少なくとも一の前記区画空間に設置され当該区画空間内の空気の温度を変化させる温度調整機器と、
前記区画空間同士を連通させる連通構造と、
前記連通構造を介して異なる前記区画空間の間の空気を移動させる空気移動機構と、
各部を制御するシステム制御部と、
前記システム制御部が、前記温度センサのセンシング結果に基づいて前記温度調整機器を制御し当該温度調整機器が設置された区画空間の空気の温度を変化させる手段と、
前記システム制御部が、前記空気移動機構の駆動源を制御し前記温度調整機器が設置された区画空間内の空気を他の前記区画空間に移動させる手段と、
を備える室内温度調整システム。
【請求項２】
前記区画空間のそれぞれには当該区画空間内の人体の有無をセンシングする人感センサが設けられ、
前記システム制御部は、前記温度センサ及び前記人感センサの両方のセンシング結果に基づいて前記温度調整機器及び前記空気移動機構の駆動源を制御する、
請求項１に記載の室内温度調整システム。
【発明の詳細な説明】
【技術分野】
【０００１】
本発明は、住宅やオフィスビル等の建造物内の温度調整を行う室内温度調整システムに関する。
【背景技術】
【０００２】
従来、多くの住宅やオフィスビル等の建造物において、エアコン等の機器を用いた室内温度の管理が行われている。一例として、特許文献１には、エアコンや床暖房を制御する機器コントロール装置を用い、床暖房設置後の試運転時に床温度センサや室温センサを用いて把握した部屋の温度特性の情報を基に、住宅特性に合った室内温度の管理を行う温度調整システムが記載されている。別の一例として、非特許文献１には、ダクトを通じて建造物の内外に空気を出入りさせ、２４時間３６５日、建造物内の隅々にまで冷暖房を行き渡らせる空調システムが掲載されている。
【０００３】
【特許文献１】特開２００５−０５５１０２公報
【非特許文献１】"断熱・気密性 ｜ 三井ホームのテクノロジー・対応力"、[online]、三井ホーム株式会社、[平成２０年９月２２日検索]、インターネット <URL : http://www.mitsuihome.co.jp/technology/korekara/text/korekara01.html >
【発明の開示】
【発明が解決しようとする課題】
【０００４】
特許文献１に記載の技術は、床暖房の試運転段階で得られたデータに基づいて温度調整を行うものであり、住人が生活したり住宅外環境の変化の影響を受けたりして変化する住宅内環境に応じた室内温度の制御を行うことができない。また、この技術では、エアコンや床暖房などの個々の機器を制御するため、多くのエネルギーが消費される。
【０００５】
また、非特許文献１に記載の空調システムは、エアコン等の機器を常時作動させ続けることを前提とし、建造物内の全ての空間を対象として室内温度の管理を行っている。しかし、建造物内にいる人間は常に建造物内の隅々までくまなく移動して活用することは希である。このため、活用されない箇所の温度調整を行うと、必要以上にエネルギーが消費されることになる。
【０００６】
本発明は、以上の点を鑑みてなされたものであり、無駄なエネルギー消費を抑えつつ、建造物内で快適な温度環境を実現することを目的とする。
【課題を解決するための手段】
【０００７】
本発明の室内温度調整システムは、建造物内の温度調整対象となる区画空間のそれぞれに設けられる温度センサと、少なくとも一の前記区画空間に設置され当該区画空間内の空気の温度を変化させる温度調整機器と、前記区画空間同士を連通させる連通構造と、前記連通構造を介して異なる前記区画空間の間の空気を移動させる空気移動機構と、各部を制御するシステム制御部と、前記システム制御部が、前記温度センサのセンシング結果に基づいて前記温度調整機器を制御し当該温度調整機器が設置された区画空間の空気の温度を変化させる手段と、前記システム制御部が、前記空気移動機構の駆動源を制御し前記温度調整機器が設置された区画空間内の空気を他の前記区画空間に移動させる手段と、を備える。
【発明の効果】
【０００８】
本発明によれば、温度調整機器により暖められたり冷やされたりした空気が空気移動機構によって他の区画空間に流れて空気の流入先の区画空間内の温度が調整され、したがって、無駄なエネルギー消費を抑えつつ、建造物内で快適な温度環境を実現することができる。
【発明を実施するための最良の形態】
【０００９】
本発明の実施の一形態を、図１ないし図５に基づいて説明する。
【００１０】
図１は、室内温度調整システム１０１の全体の概要を模式的に示す平面図である。本実施の形態の室内温度調整システム１０１は住宅１０２に適用されるものである。住宅１０２は、外壁１０３によって居住空間１０４が定められる。居住空間１０４は、仕切壁１０５によって複数の区画空間１０６に区切られている。図１において、区画空間１０６とは、居間や寝室として用いられる四つの部屋１０７と、トイレ室１０８と、浴室１０９と、脱衣室１１０と、廊下空間１１１とをいう。廊下空間１１１は、居住空間１０４の東端に設けられた玄関１１２から西の方角に延びている。廊下空間１１１は、仕切壁１０５に設けられドア１１３によって開閉される出入口１１４を介して、各部屋１０７とトイレ室１０８と脱衣室１１０とのそれぞれに連通している。浴室１０９は、居住空間１０４の北端に設けられ、廊下空間１１１から脱衣室１１０を経由して出入り可能となっている。
【００１１】
本実施の形態の室内温度調整システム１０１は、温度センサ１１７ａ（図２参照）と、人感センサ１１６ａ（図２参照）と、エアコン１２２と、ダクト１２０と、ファン１１８と、コンピュータ１２４とを備えて構成されている。そして、本実施の形態の室内温度調整システム１０１では、四つの部屋１０７及び廊下空間１１１が、室内温度調整システム１０１によって温度が調整される調整対象空間１１５となる。調整対象空間１１５のそれぞれには、人体検出器１１６と室温測定器１１７とが設けられている。これらのセンサは、例えば、調整対象空間１１５の天井（図示せず）や内壁に配置される。人体検出器１１６は、人感センサ１１６ａを有し、部屋１０７内の人体の有無をセンシングしてそのセンシング結果に基づく人体の有無を示す情報（以下、「人体情報」と呼ぶ）を出力する。室温測定器１１７は、温度センサ１１７ａを有し、部屋１０７内の空気の温度をセンシングしてそのセンシング結果に基づく温度情報を出力する。また、住宅１０２の外壁１０３の外側には、東西南北の各方角に対応させて、外気温測定器１２５が設けられている。外気温測定器１２５は、温度センサ１１７ａを有し、外気温測定器１２５の周囲の温度をセンシングしてそのセンシング結果に基づく温度情報を出力する。
【００１２】
調整対象空間１１５のそれぞれの天井には、空気移動機構としてのファン１１８が設置されている。ファン１１８は、駆動源１１９（図２参照）の駆動によって順逆両方向に回転させることができ、順方向に回転することで調整対象空間１１５内の空気を吸い出したり、逆方向に回転することで調整対象空間１１５に空気を送り込んだりして、次に述べるダクト１２０を介して異なる調整対象空間１１５の間で空気を移動させる。ファンは、トイレ室１０８と脱衣室１１０とのそれぞれの天井にも設けられており、説明の便宜上、これを第２ファン１１８ａと呼ぶ。また、第２ファン１１８ａ同士を連絡するダクトが天井裏に設けられており、説明の便宜上、これを第２ダクト１２０ａと呼ぶ。
【００１３】
住宅１０２の天井裏には、連通機構としてのダクト１２０が配設されている。ダクト１２０は各ファン１１８に接続されており、調整対象空間１１５同士を連通してファン１１８を通じて流入出する空気をある調整対象空間１１５から別の調整対象空間１１５に向けて通過させる。ダクト１２０は、各部屋１０７に対応させて外壁１０３に設けられた室外ファン１２１にも接続されている。室外ファン１２１は、ダクト１２０内の空気と住宅１０２の外側空間との間の換気だけでなく、各部屋１０７と外側空間との間の換気も実現する。また、外壁１０３には、浴室１０９に対応する室外ファンも設けられており、説明の便宜上、これを第２室外ファン１２１ａと呼ぶ。第２室外ファン１２１ａは、第２ダクト１２０ａ内の空気と住宅１０２の外側空間との間の換気だけでなく、浴室１０９と外側空間との間の通気も実現する。第２室外ファン１２１ａと前述した第２ファン１１８ａとは、天井裏に配設されている第２ダクト１２０ａに接続されている。この第２ダクト１２０ａと、各部屋１０７等に連通しているダクト１２０とは、連絡ダクト１２０ｂを介して接続されている。
【００１４】
四つの部屋１０７のそれぞれには、各部屋１０７内の空気の温度を変化させる温度調整機器としてのエアコン１２２が設置されている。また、四つの部屋１０７と脱衣室１１０とのそれぞれの内壁には、液晶ディスプレイにタッチパネルを積層配置させて構成される操作パネル１２３が取り付けられている。また、四つの部屋１０７のうち北東の方角に位置する部屋Ｄには、システム制御部として機能するコンピュータ１２４が設置されている。
【００１５】
図２は、室内温度調整システム１０１の電気的構成を示すブロック図である。室内温度調整システム１０１の制御の中核をなすのは、コンピュータ１２４である。コンピュータ１２４は、ＣＰＵ１５１とＲＯＭ１５２とＲＡＭ１５３とにより構成される情報処理部１５４を備えている。情報処理部１５４は、バスライン１５５を介して、ハードディスク１５６、入力デバイスとなるキーボード１５７やマウス１５８、出力デバイスとなるディスプレイ１５９、他の機器とのデータ通信を実現する外部機器インタフェイス１６０、インターネット網１６１にコンピュータ１２４を接続させるための通信インタフェイス１６２のそれぞれと接続している。
【００１６】
ハードディスク１５６には、オペレーティングシステムや各種のドライバプログラム、図３に示す処理を含む各種の情報処理をＣＰＵ１５１に実行させるためのプログラム１６３が格納されている。また、ハードディスク１５６には、図４に示す表示画面を構成するための画像データを含む、各種のデータ１６４も格納されている。
【００１７】
コンピュータ１２４は、住宅１０２内に配設された通信線１５５ａを介して、エアコン１２２、ファン１１８の駆動源１１９、室外ファン１２１の駆動源１１９、室温測定器１１７、人体検出器１１６、外気温測定器１２５、操作パネル１２３のそれぞれと接続している。そして、コンピュータ１２４に備わる外部機器インタフェイス１６０は、コンピュータ１２４とこれらの各機器とのデータ通信を実現し、コンピュータ１２４のＣＰＵ１５１によるこれらの機器の駆動制御やこれらの機器からのデータ受信を実現する。
【００１８】
コンピュータ１２４は、インターネット網１６１を介して管理サーバ１６５とデータ通信自在となっている。管理サーバ１６５には、建材や内部構造等のデータを含む住宅１０２の構造データ、各地の気象データ、天候に対応付けて日別もしくは季節別の室温の変化を示すデータを格納し室内温度調整システム１０１で行う温度調整に用いられるシナリオデータ等の各種のデータが格納されている。コンピュータ１２４は、管理サーバ１６５に適宜データ要求信号を送信して、これらの各種のデータをダウンロードしハードディスク１５６に格納する。なお、これらの各種のデータは、管理サーバ１６５から所定のタイミングでコンピュータ１２４に配信されるようにしてもよい。
【００１９】
図３は、室内温度調整システム１０１で行われる処理の流れを示すフローチャートである。室内温度調整システム１０１を構成するコンピュータ１２４のＣＰＵ１５１は、ハードディスク１５６内のプログラム１６３の記述に従った処理を実行し、室温測定器１１７や外気温測定器１２５から送信される温度情報や、人体検出器１１６から送信される各区画空間１０６での人体情報の受信を待機している。そして、ＣＰＵ１５１は、受信した温度情報に基づいて各部屋の温度を計測し（ステップＳ１０１）、受信した人体情報に基づき何れかの調整対象空間１１５に人がいるか否かを判断する処理を実行する（ステップＳ１０２）。何れの調整対象空間１１５にも人がいないと判定した場合（ステップＳ１０２のＮ）、ＣＰＵ１５１は、処理をステップＳ１０１に戻して再び温度の計測を行う。
一方、何れの調整対象空間１１５に人がいると判定した場合（ステップＳ１０２のＹ）、ＣＰＵ１５１は、人の存在を確認した調整対象空間１１５に備え付けられたエアコン１２２（このエアコン１２２をエアコンＰ１とする）を作動させ（ステップＳ１０３）、このエアコン１２２の稼動によって目標温度（図４に基づいて後述）に達するまでの予定時間を算出する（ステップＳ１０４）。この予定時間は、室温測定器１１７や外気温測定器１２５から入力される温度情報の他、管理サーバ１６５から入力される気象に関するデータ、管理サーバ１６５からダウンロードしたりＣＤ−ＲＯＭ等の記憶媒体からインストールされたりしてハードディスク１５６に格納されている住宅１０２の構造データ、建材データを加味して算出される。ＣＰＵ１５１は、この算出した予定時間が、１５分間以下であるか、１５分間より多く３０分間以下であるか、３０分より多いかのいずれかにより場合分けをおこなって処理を進める（ステップＳ１０５、ステップＳ１０６）。なお、この１５分間や３０分間という時間は、どのエアコン１２２を作動させるかを決定するために予想時間と比較するための基準時間であり、コンピュータ１２４や操作パネル１２３から操作入力を行うことによって適宜変更することが可能できる。
【００２０】
算出した予定時間が１５分間以下である場合（ステップＳ１０５のＮ）、ＣＰＵ１５１は、目標温度に到達するか、エアコン１２２の稼働時間が１５分間経過するかのいずれかになるまで処理を待機する（ステップＳ１０７のＮ、ステップＳ１０８のＮ）。
【００２１】
一方、算出した予定時間が１５分間より多く３０分間以下である場合（ステップＳ１０５のＹ、ステップＳ１０６のＮ）、ＣＰＵ１５１は、前述したエアコンＰ１とは異なる別のエアコン１２２（このエアコンをエアコンＰ２とする）を作動させ（ステップＳ１０９）、さらにエアコンＰ２のある調整対象空間１１５からエアコンＰ１のある調整対象空間１１５に空気が流れるようにファン１１８を回転させるようファン１１８の駆動源１１９を駆動させ（ステップＳ１１０）、処理を前述したステップＳ１０７に進める。
【００２２】
一方、算出した予定時間が３０分間より多い場合（ステップＳ１０５のＹ、ステップＳ１０６のＹ）、ＣＰＵ１５１は、前述したエアコンＰ１とは異なる別の二つのエアコン１２２（これらのエアコンを、エアコンＰ２及びエアコンＰ３とする）を作動させ（ステップＳ１１１）、さらにエアコンＰ２のある調整対象空間１１５及びエアコンＰ３のある調整対象空間１１５の両方からエアコンＰ１のある調整対象空間１１５に空気が流れるようにファン１１８を回転させるようファン１１８の駆動源１１９を駆動させ（ステップＳ１１２）、処理を前述したステップＳ１０７に進める。
【００２３】
ここで、ステップＳ１０３において、人の存在を確認した調整対象空間１１５にエアコン１２２が設置されていない場合、ＣＰＵ１５１は、この予定時間を暫定的に１５分間より多く３０分間以下の時間であると定めて、処理をステップＳ１０５のＹ、ステップＳ１０６のＮの順に進め、人の存在を確認した調整対象空間１１５とは異なる空間から温度調整がなされた空気を流入させることで、調整対象空間１１５内の温度調整を行う。
【００２４】
以上に述べた処理を行った後、処理をステップＳ１０７に進めた段階で人の存在を確認した調整対象空間１１５の空気の温度が目標温度に達したと判定した場合（ステップＳ１０７のＹ）、ＣＰＵ１５１は、作動させていたエアコン１２２及びファン１１８の全てを停止させる処理を行って（ステップＳ１１３）、一連の処理を終了する。また、処理をステップＳ１０８に進めた段階でエアコン１２２を作動させてから１５分間以上経過した場合（ステップＳ１０８のＹ）、ＣＰＵ１５１は、それまでに作動させていたエアコン１２２とは異なる別のエアコン１２２を作動させ、さらにファン１１８の駆動源１１９を駆動させ、人の存在を確認した調整対象空間１１５内に温度変化が行われた空気を送り込ませ（ステップＳ１１４）、処理をステップＳ１０７に戻す。
【００２５】
図４は、操作画面２０１の状態遷移を示す模式図である。この操作画面２０１は、コンピュータ１２４のディスプレイ１５９や操作パネル１２３に備わる液晶ディスプレイに表示されるものである。操作画面２０１に表示される表示内容は、コンピュータ１２４に備わるキーボード１５７やマウス１５８もしくは操作パネル１２３のタッチパネルからのタッチ指定操作に応じて、図４に示すオート操作画面表示Ｆ１、マニュアル操作画面表示Ｆ２及び気流状況画面表示Ｆ３の何れかに切り替わる。オート操作画面表示Ｆ１に切り替えるためには、オート操作画面ボタン２０２を指定する。マニュアル操作画面表示Ｆ２に切り替えるためには、マニュアル操作画面ボタン２０３を指定する。気流状況画面表示Ｆ３に切り替えるためには、気流状況画面ボタン２０４を指定する。
【００２６】
オート操作画面表示Ｆ１では、時刻表示２０５が操作画面２０１の左上に表示される。さらに、オート操作画面表示Ｆ１では、時刻表示２０５の下に並べて、上から順に、外気温測定器１２５から送信された温度情報を示す外気温表示２０６、室温測定器１１７から送信された温度情報に基づいて各部屋１０７の空気の温度を示す室内温度表示２０７、各エアコン１２２の稼動状況を示すエアコン稼動状態表示２０８、室内温度調整システム１０１における現在の消費電力量を示す電力量表示２０９、エアコン１２２毎の消費電力量を示す個別消費電力量表示２１０が表示される。さらに、オート操作画面表示Ｆ１には、室内温度表示２０７の下側に隣接させて、各部屋１０７に人がいるかいないかを示す在室表示２１１が表示される。図４に示すオート操作画面表示Ｆ１中、在室表示２１１の枠内に示されたハイフンは、部屋１０７内に人がいないことを示し、同じく枠内に示された黒丸は、部屋１０７内に人がいることを示している。また、エアコン稼動状態表示２０８は、エアコン１２２の運転の強弱を示す稼動強度表示２１２と目標温度を示す目標温度表示２１３とが、互いに上下に隣接して構成されている。
【００２７】
目標温度表示２１３に表示される目標温度は、コンピュータ１２４のＣＰＵ１５１が決定する。一例として、ＣＰＵ１５１は、住宅１０２内の居住空間１０４の全てが一律な温度となるように目標温度を定める。別の一例として、ＣＰＵ１５１は、ハードディスク１５６のデータ１６４として格納されている区画空間１０６ごとの温度設定データに基づいて目標温度を定める。この温度設定データは、コンピュータ１２４に予めインストールされていても、管理サーバ１６５に格納されていてダウンロードすることによってハードディスク１５６に格納されていてもよい。また、目標温度は、管理サーバ１６５からダウンロードされハードディスク１５６に格納されているシナリオデータ（前述）に基づいて定められても良い。この場合、ＣＰＵ１５１は、管理サーバ１６５から配信される気象データに基づいて目標温度を変化させて、エアコン１２２及びファン１１８の駆動源１１９を制御する。そして、ＣＰＵ１５１は、室温測定器１１７や外気温測定器１２５から送信される温度情報の変化を考慮しつつ、居住空間１０４内の各区画空間１０６内の温度がこのように定められた目標温度になるように、エアコン１２２やファンの駆動源１１９を制御する。
【００２８】
マニュアル操作画面表示Ｆ２において、操作画面２０１には、オート操作画面表示Ｆ１と同様の構成を有するが、エアコン稼動状態表示２０８に代えて、マニュアル温度設定用表示２１４が表示されている。マニュアル温度設定用表示２１４には、部屋１０７毎のエアコン１２２の駆動状況を示しており、電源のオンオフ表示２１５、マニュアル温度表示２１６、温度設定アイコン２１７及びマニュアルパワー設定２１８が含まれている。マニュアル温度設定用表示２１４に含まれるこれらの要素に対する操作を行うことによって、部屋１０７毎に目標温度となる値を設定したり、エアコン１２２の出力パワーを変化させたり、エアコン１２２の電源のオンオフを操作したりすることができる。マニュアル温度表示２１６は、温度設定アイコン２１７を構成する上向き矢印が指定されるたびに部屋１０７毎の目標温度が高い値に変化し、下向き矢印が指定されるたびに部屋１０７毎の目標温度が低い値に変化する。
【００２９】
気流状況画面表示Ｆ３では、操作画面２０１の画面の略一杯に、住宅１０２の模式的平面図２１９が表示され、この模式的平面図２１９の上方には、模式的平面図２１９に示される各アイコンの説明表示２１９ａがなされている。また、操作画面２０１には、気流状況画面表示Ｆ３内の模式的平面図２１９に積層させて、ファン１１８の稼動状況に応じて決定されるダクト１２０の遮断位置を示すダクト遮断アイコン２２０、及び、ファン１１８の稼動状況に応じて決定される空気流方向表示２２１が表示される。
【００３０】
コンピュータ１２４のＣＰＵ１５１は、図３に基づいて前述した処理を実行するとともに、ディスプレイ１５９に操作画面２０１を表示させる処理を実行している。また、操作パネル１２３の制御を司るマイクロコンピュータ（図示せず）は、このようなオート操作画面表示Ｆ１、マニュアル操作画面表示Ｆ２及び気流状況画面表示Ｆ３を液晶ディスプレイに表示する処理を実行し、タッチパネルからタッチ指定された座標に応じて操作入力された情報をコンピュータ１２４に送信出力する。コンピュータ１２４は、操作パネル１２３から送信出力された情報を基に各部屋１０７の目標温度やエアコン１２２の出力パワー、エアコン１２２の電源のオンオフの制御を行う。
【００３１】
図５は、室内温度調整システム１０１を住宅１０２に適用して温度調整を行った場合のエアコン１２２及びファン１１８の状態遷移の一例を示すフローチャートである。上記のように構成される室内温度調整システム１０１を住宅１０２に適用した場合、コンピュータ１２４や操作パネル１２３から操作入力を行うことで、無駄なエネルギー消費を抑えつつ、住宅１０２内で快適な温度環境を実現することができる。
【００３２】
以下、図５に示す状態遷移例に基づいて説明する。住人が部屋Ｄ（図１参照）にいることを部屋Ｄ内に設置された人体検出器１１６が検出した場合（ステップＳ２０１のＹ）、コンピュータ１２４には、部屋Ｄに人間がいることを示す人体情報が入力され、部屋Ｄ内に設置されたエアコン１２２が作動するとともに、部屋Ｄ内の空気がコンピュータ１２４や操作パネル１２３で設定された目標温度に達するまでの予定時間が算出される（ステップＳ２０３）。この予定時間が１５分間以下である場合は、ファン１１８は回転することなく、このため、部屋Ｄに設置されたエアコン１２２の稼動によって部屋Ｄ内の空気の温度のみが変化する（ケース１）。また、予定時間が１５分間より多く３０分間以下である場合は、部屋Ｄ内のエアコン１２２のみならず部屋Ｃのエアコン１２２が作動し、部屋Ｃ内の空気がダクト１２０に流入するよう部屋Ｃに設置されたファン１１８が作動して順方向に回転し、ダクト１２０から部屋Ｄ内に空気が流出するよう部屋Ｄに設置されたファン１１８が作動して逆方向に回転する（ケース２）。また、予定時間が３０分間より多い場合は、ケース２に示したように各部が作動するだけでなく、さらに、部屋Ａ内のエアコン１２２が作動し、部屋Ａ内の空気がダクト１２０に流入するよう部屋Ａに設置されたファン１１８が作動する（ケース３）。
【００３３】
ケース１〜３のいずれの場合も、１５分後に部屋Ｄ内の空気が目標温度に到達した場合は、全てのエアコン１２２及びファン１１８の動作が停止される（ステップＳ２０４）。これに対し、ケース１に示す各部の動作が行われて１５分間経過した後に部屋Ｄ内の空気が目標温度に達していない場合は、ケース２に示す各部の動作が行われ、部屋Ｄ内に設置されたエアコン１２２のみならず部屋Ｃに設置されたエアコン１２２も部屋Ｄ内の空気の温度調整を行うことになる（ケース４）。また、ケース２に示す各部の動作が行われて１５分間経過した後に部屋Ｄ内の空気が目標温度に達していない場合は、ケース３に示す各部の動作が行われ、部屋Ｄ、部屋Ｃ及び部屋Ａ内のそれぞれに設置されたエアコン１２２が部屋Ｄ内の空気の温度調整を行うことになる（ケース５）。ケース４に示す各部の動作もしくはケース５に示す各部の動作が開始された後、部屋Ｄ内の空気の温度が目標温度に達した場合、全てのエアコン１２２及びファン１１８の動作が停止される（ステップＳ２０４）。
【００３４】
以上、図５に基づいて、部屋Ｄ内に人間がいる場合のエアコン１２２やファン１１８の動作について説明した。この他、本実施の形態の室内温度調整システム１０１を用いた場合、部屋Ａ〜Ｄもしくは廊下空間１１１（図１参照）に人がいるか否かが判定されて、人がいると判定された調整対象空間１１５が素早く目標温度に達成するように、各部屋Ａ〜Ｄに設置されたエアコン１２２やファン１１８が作動する。この他、本実施の形態の室内温度調整システム１０１を用いることで、コンピュータ１２４や操作パネル１２３を操作してマニュアル操作画面表示Ｆ２を表示させ、人がいる部屋に限らず、人がいない部屋の中の空気の温度も調整することができる。例えば、部屋Ｄにいる人が数分後に部屋Ａに移動しようとする場合、コンピュータ１２４や操作パネル１２３を操作して部屋Ａの目標温度を設定する操作入力を行う。この操作入力によって、部屋Ａ内のエアコン１２２が作動し、部屋Ａ内のファン１１８が順回転し、廊下空間１１１内のファン１１８が逆回転して、部屋Ａ内の温度調整された空気が廊下空間１１１内に移動されて、部屋Ｄから廊下空間１１１を経由して部屋Ａに移動するまでに人が通過する空間の空気の温度を、所望の温度に調整することができる。
【００３５】
ここで重要なのは、本実施の形態の室内温度調整システム１０１では、人の存在や人が行う操作入力に応じて、人が滞在したり移動したりする空間内の空気のみの温度を効率良く変化させることができるという点である。さらに、本実施の形態の室内温度調整システム１０１では、連通機構であるダクト１２０と空気移動機構であるファン１１８とを備えることにより、居住空間１０４内の空気を移動させることで、調整対象空間１１５内の空気の温度を変化させることができることも重要である。そして、コンピュータ１２４に、住宅１０２内の区画空間１０６の構造やダクト１２０の構造、ファン１１８の設置位置、各調整対象空間１１５の連通関係を含む住宅１０２の内部の構造を示すデータをハードディスク１５６にインストールし、このデータを考慮して図３に示した処理をコンピュータ１２４のＣＰＵ１５１に実行させることで、温度調整を行いたい区画空間１０６のみの温度を変化させるよう必要最低限のエアコン１２２を作動させ、ファン１１８を作動させて区画空間１０６同士の空気を移動させて、効率良く住宅１０２における室内温度調整を行うことができる。無論、調整対象空間１１５となる全ての区画空間１０６内の空気の温度を一斉に変化させることも可能である。
【００３６】
このように、本実施の形態の室内温度調整システム１０１によれば、温度調整機器（エアコン１２２）により暖められたり冷やされたりした空気が空気移動機構（ファン１１８）によって他の区画空間に流れて空気の流入先の区画空間内の温度が調整され、したがって、無駄なエネルギー消費を抑えつつ、住宅１０２をはじめとする建造物内で快適な温度環境を実現することができる。
【００３７】
図６は、室内温度調整システム１０１の変形例について示す模式的な平面図である。本実施の形態の室内温度調整システム１０１の変形例として、図６に示すように、ダクト１２０を用いずに、調整対象空間１１５となる区画空間１０６を仕切る仕切壁１０５に通気ファン３０１を設けることができる。この場合、通気ファン３０１が各区画空間の間の空気を移動させる空気移動機構として機能する。また、調整対象空間１１５となる区画空間１０６（四つの部屋１０７、廊下空間１１１）自体が、区画空間１０６同士を連通させる連通構造として機能する。この変形例によれば、ダクト１２０を用いずに室内温度調整システム１０１を構築することができるので、住宅１０２内の構造を大きく改変することがなくなり、室内温度調整システム１０１を住宅１０２に適用する際の費用や手間も軽減される。
【００３８】
なお、以上に述べた説明の中で、温度調整機器としてエアコン１２２を採用した場合を紹介したが、これに限られることなく、例えば、温度調整機器として床暖房を採用することもできる。また、上記には、室内温度調整システム１０１を住宅１０２に適用した例を示したが、これに限られることなく、室内温度調整システム１０１はオフィスビルや商業用店舗等にも適用することができる。
【図面の簡単な説明】
【００３９】
【図１】室内温度調整システムの全体の概要を模式的に示す平面図である。
【図２】室内温度調整システムの電気的構成を示すブロック図である。
【図３】室内温度調整システムで行われる処理の流れを示すフローチャートである。
【図４】操作画面の状態遷移を示す模式図である。
【図５】室内温度調整システムを住宅に適用して温度調整を行った場合のエアコン及びファンの状態遷移の一例を示すフローチャートである。
【図６】室内温度調整システムの変形例について示す模式的な平面図である。
【符号の説明】
【００４０】
１０１…室内温度調整システム
１０２…住宅（建造物）
１０６…区画空間
１１５…調整対象空間（温度調整対象となる区画空間）
１１６ａ…人感センサ、
１１７ａ…温度センサ
１１８…ファン（空気移動機構）
１１９…ファンの駆動源（空気移動機構の駆動源）
１２０…ダクト（連通構造）
１２２…エアコン（温度調整機器）
１２４…コンピュータ（システム制御部）
【図１】
2010091237.tif 000003
【図２】
2010091237.tif 000004
【図３】
2010091237.tif 000005
【図４】
2010091237.tif 000006
【図５】
2010091237.tif 000007
【図６】
2010091237.tif 000008